(57)【要約】【課題】被取付け部の器具埋め込み孔の大きさのばらつきに拘わらずに埋め込み設置状態を安定させることができるとともに、被取付け部からの取外しに伴う器具埋め込み孔の損傷を抑制できる埋め込み型器具を提供する。【解決手段】天井の器具埋め込み孔に挿入して埋め込み設置されるダウンライト11を前提とし、器具本体12、ばね支持手段21、線ばね製の一対のトーションばね31を具備する。本体12は天井表面に接するフランジ14を有する。本体12の外側面を挟むように支持手段21を設け、この手段はばね端部受け23及び巻き部受け22を有する。各トーションばね31は、ばね端部受け23に支持される巻き部32、巻き部の一端から延出されて巻き部受け22に支持されるばね端部33、巻き部の他端から延出されたアーム部34、及びアーム部から折り曲げられてフランジ14との間に器具埋め込み孔の周部を挟むように天井の裏面に弾性的に接する押え部35を有する。【選択図】図７
2009104958.tif 000002
【特許請求の範囲】
【請求項１】
被取付け部材に開けられた器具埋め込み孔に挿入して前記被取付け部材に埋め込み設置される埋め込み型器具において、
前記被取付け部材の表面に接するフランジを有する器具本体と；
この器具本体を外側面から挟むように設けられ、ばね端部受け及び巻き部受けを有するばね支持手段と；
線ばね製の一対のトーションばねであって、前記巻き部受けに支持される巻き部、この巻き部の一端から延出されて前記ばね端部受けに支持されるばね端部、前記巻き部の他端から延出されたアーム部、及びこのアーム部から曲げられて前記フランジとの間に前記器具埋め込み孔の周部を挟むように前記被取付け部材の裏面に弾性的に接する押え部を有した一対の前記トーションばねと；
を具備したことを特徴とする埋め込み型器具。
【請求項２】
前記各トーションばねが、前記巻き部、ばね端部、及びアーム部を夫々一対有していて、前記一対のアーム部が前記押し部を介して一体に連続されているとともに、前記各トーションばねが前記器具本体の外側面に前記ばね支持手段により両持ち支持されていることを特徴とする請求項１に記載の埋め込み型器具。
【請求項３】
前記器具本体を平面的に見て前記アーム部の押え部側部位と前記押え部とが鈍角を作って連続するように形成されていることを特徴とする請求項１又は２に記載の埋め込み型器具。
【請求項４】
前記アーム部の巻き部側部位が、前記器具本体を側方から見て前記フランジの裏面から離れる方向に突出するように曲げられていて、この巻き部側部位の曲げの頂点から前記巻き部に至る根元部分の長さが前記被取付け部材の厚みより長いことを特徴とする請求項１から３の内のいずれか一項に記載の埋め込み型器具。
【請求項５】
前記ばね支持手段の前記巻き部受けが、前記器具本体を側方から見て前記器具本体の前記フランジ側に寄って設けられていることを特徴とする請求項１から４の内のいずれか一項に記載の埋め込み型器具。
【発明の詳細な説明】
【技術分野】
【０００１】
本発明は、例えば天井に埋め込み設置されるダウンライト等の埋め込み型器具に関する。
【背景技術】
【０００２】
従来、器具本体の外面に取付けた一対の取付けばねを用いて天井に埋め込み設置されるダウンライトが知られている（例えば、特許文献１参照。）。
【０００３】
このダウンライトの取付けばねは、帯状をなす板ばねからなり、器具本体に対する固着位置から下方寄りに垂下し、その先端が斜め上向きに転向して自由端部となる形状である。そして、このダウンライトは、取付けばねの上向きに転向した根元部と、器具本体が備えたドーナツ形の枠とで、天井の取付け孔の周縁部を上下から挟持することで、天井に装着されるようになっている。
【特許文献１】特開２００５−２４３５９７号公報（図１、段落０００６）
【発明の開示】
【発明が解決しようとする課題】
【０００４】
特許文献１のダウンライトが天井に埋め込み設置された状態の保持は、板ばねからなる取付けばねが天井の取付け孔の縁に接する部分の反発力に依存している。
【０００５】
このため、天井の取付け孔の大きさのばらつきにより、取付け孔が大きめである場合には、取付けばねの反発力が減じて天井へのダウンライトの保持力が低下して、安定した取付け状態を得ることができないことがある。又、メンテナンスの際等にダウンライトを天井から取外す場合に、このダウンライトが引き下げられるに伴い、この引き下げの初期段階から取付けばねが天井の取付け孔の縁を擦るので、取付け孔が損傷することがある。
【０００６】
本発明の目的は、被取付け部の器具埋め込み孔の大きさのばらつきに拘わらずに埋め込み設置状態を安定させることができるとともに、被取付け部からの取外しに伴う器具埋め込み孔の損傷を抑制できる埋め込み型器具を提供することにある。
【課題を解決するための手段】
【０００７】
請求項１の発明は、被取付け部材に開けられた器具埋め込み孔に挿入して前記被取付け部材に埋め込み設置される埋め込み型器具において、前記被取付け部材の表面に接するフランジを有する器具本体と；この器具本体を外側面から挟むように設けられ、ばね端部受け及び巻き部受けを有するばね支持手段と；線ばね製の一対のトーションばねであって、前記巻き部受けに支持される巻き部、この巻き部の一端から延出されて前記ばね端部受けに支持されるばね端部、前記巻き部の他端から延出されたアーム部、及びこのアーム部から曲げられて前記フランジとの間に前記器具埋め込み孔の周部を挟むように前記被取付け部材の裏面に弾性的に接する押え部を有した一対の前記トーションばねと；を具備したことを特徴としている。
【０００８】
請求項１の発明で、フランジは器具本体の軸方向の一端に設けることが好ましいが、器具本体の軸方向の中間位置に設けても良い。請求項１の発明で、ばね支持手段のばね端部受けは、トーションばねの巻き部の巻が弛む方向へのトーションばねのばね端部の動きを拘束して、トーションばねにばね作用を発揮させる部位を指している。請求項１の発明で、ばね支持手段の巻き部受けは、トーションばねの巻き部が所定位置から移動することを防止するために巻き部を保持する部位を指している。そして、この巻き部受けは、例えば巻き部の内周に嵌合する軸で形成できる他、トーションばねのアーム部及びばね端部を避ける逃げ部を有して巻き部の外周に嵌合する筒状嵌合部で形成することもできる。請求項１の発明で、器具本体を外側面から挟むように設けられたばね支持手段は、器具本体の中心軸線と直交する線上に対をなして設けてもよいし、前記直交する線からずれてこの線と平行な二つの線上の夫々に対をして設けてもよい。請求項１の発明で、トーションばねをなす線ばねには、その断面が円形又は角形のばね線材を用いることができるとともに、このトーションばねの巻き部は、少なくとも一回円形に巻かれている部位を指している。
【０００９】
請求項１の発明の埋め込み型器具を被取付け部材に埋め込み設置するには、一対のトーションばねのアーム部を、巻き部の巻きを強めながら押え部がフランジの裏面から最も遠ざかるように手で動かして、その状態を拘束したままで、器具本体とともに一対のトーションばねを器具埋め込み孔に挿入してから、手による一対のトーションばねのアーム部の拘束を解放すればよい。この解放に伴い、巻き部のばね力で一対のトーションばねのアーム部がフランジ側に戻されて、押え部が被取付け部材の裏面に当たる。この状態でも巻き部はばね力を蓄えた状態にあり、このばね力で押え部が弾性的に被取付け部材の裏面を押すので、その反作用によって器具本体がより深く器具埋め込み孔に入り込む。それによって、器具本体のフランジが被取付け部材の表面に当たり、このフランジと押え部とが器具埋め込み孔の周部を挟んで、埋め込み型器具が被取付け部材に埋め込み設置される。
【００１０】
このように器具本体のフランジと一対のトーションばねの押え部とで、被取付け部材をその厚み方向に挟むようにして埋め込み型器具が被取付け部材に取付けられるので、埋め込み設置された埋め込み型器具の被取付け部材に対する保持力が、被取付け部材の器具埋め込み孔の大きさのばらつきに左右されることがなくなり、埋め込み型器具の埋め込み設置状態をトーションばねのばね力に依存させて安定させることができる。
【００１１】
埋め込み設置された埋め込み型器具を被取付け部材から取外すには、器具本体をある程度引出した状態で、手で一対のトーションばねのアーム部を掴んで、これらアーム部及び押え部がフランジの裏面から最も遠ざかるように外側面に沿うようにした後、その状態のままで器具本体を器具埋め込み孔から引出せばよい。
【００１２】
この引き出しの際、巻き部受けが被取付け部材の裏面と同じ高さ位置を越えて被取付け部材の表側に位置されるように器具本体が引出されるまでは、アーム部は器具埋め込み孔の縁に接しない。これにより、器具本体を引出す初期段階からアーム部によって器具埋め込み孔の縁が擦られて器具埋め込み孔が損傷することを抑制できる。
【００１３】
請求項２の発明は、請求項１の発明において、前記各トーションばねが、前記巻き部、ばね端部、及びアーム部を夫々一対有していて、前記一対のアーム部が前記押し部を介して一体に連続されているとともに、前記各トーションばねが前記器具本体の外側面に前記ばね支持手段により両持ち支持されていることを特徴としている。
【００１４】
この請求項２の発明では、一対のトーションばねが器具本体の外側面にばね支持手段により両持ち支持されているので、押え部による被取付け部材の裏面の押えが安定するに伴い、埋め込み型器具の埋め込み設置状態をより安定させることができる。しかも、既述のように一対のトーションばねが器具本体の外側面にばね支持手段により両持ち支持されているので、押え部がフランジの裏面から最も遠ざかるようにアーム部を手で動かす場合、片側のばね支持手段から延出した一対のトーションばねのアーム部を互いに近付くように指で掴むことができる。こうしたアーム部の操作において、器具本体とアーム部とにわたって片手をかけて操作することを余儀なくされないので、操作性を向上できる。
【００１５】
請求項３の発明は、請求項１又は２の発明において、前記器具本体を平面的に見て前記アーム部の押え部側部位と前記押え部とが鈍角を作って連続するように、前記押え部側部位が斜めに曲げられていることを特徴としている。この発明で、「アーム部の押え部側部位と前記押え部とが鈍角を作って連続する」とは、器具本体を平面的に見た場合に、トーションばねの押え部側部位と押え部とが挟む角度が鈍角を作っていることを指し、押え部側部位及び押え部を直線又は曲線とすること等により形成することができる。
【００１６】
この請求項３の発明では、押え部がフランジの裏面から最も遠ざかるようにアーム部が操作された状態で、器具本体を平面的に見た場合に、トーションばねの押え部とアーム部とが直角な角を形成することなく、この角に相当する部分がアーム部の斜めの押え部側部位となっている。そのため、器具埋め込み孔が円形である場合に、この器具取付け孔に器具本体とともにトーションばねを挿入する際に、トーションばねが器具埋め込み孔の縁に引っ掛かり難くなるので、その挿入が円滑で埋め込み設置の作業性を向上可能である。
【００１７】
請求項４の発明は、請求項１から３の内のいずれか一項の発明において、前記アーム部の巻き部側部位が、前記器具本体を側方から見て前記フランジの裏面から離れる方向に突出するように曲げられていて、この巻き部側部位の曲げの頂点から前記巻き部に至る根元部分の長さが前記被取付け部材の厚みより長いことを特徴としている。
【００１８】
この請求項４の発明では、アーム部の巻き部側部位が曲がっていることにより、巻き部側部位の曲げの頂点から押え部に至るアーム部の一部と器具本体のフランジ裏面とで挟まれる角度を大きくできるから、アーム部の根元部分が被取付け部材の表側から手で掴める程度に器具本体が引出されるまでは、アーム部が器具埋め込み孔の縁に接しない。これにより、器具本体を引出す際にアーム部によって器具埋め込み孔の縁が擦られて器具埋め込み孔が損傷することを抑制できる。
【００１９】
請求項５の発明は、請求項１から４の内のいずれか一項の発明において、前記ばね支持手段の前記巻き部受けが、前記器具本体を側方から見て前記器具本体の前記フランジ側に寄って設けられていることを特徴としている。
【００２０】
請求項５の発明では、巻き部受けを器具本体の背面部に寄せて設けた場合と比較して、巻き部と押え部とにわたるアーム部の長さを短くできる。それにより、被取付け部裏面に対する押え部の押え力が、アーム部の撓みを原因として低下することが抑制されるので、埋め込み型器具の埋め込み設置状態をより安定させることができる。
【発明の効果】
【００２１】
請求項１の発明によれば、被取付け部の器具埋め込み孔の大きさのばらつきに拘わらずに埋め込み設置状態を安定させることができるとともに、被取付け部からの取外しに伴う器具埋め込み孔の損傷を抑制できる埋め込み型器具を提供できる。
【００２２】
請求項２の発明によれば、埋め込み型器具の埋め込み設置状態をより安定させることができことに加えて、埋め込み型器具を着脱する際における一対のトーションばねの操作性を向上できる。
【００２３】
請求項３の発明によれば、例えば円形の器具取付け孔に器具本体を挿入して埋め込み設置する際に、トーションばねが器具埋め込み孔の縁に引っ掛かり難いので、埋め込み設置の作業性を向上可能である。
【００２４】
請求項４の発明によれば、被取付け部からの取外しに伴う器具埋め込み孔の損傷をより抑制することができる。
【００２５】
請求項５の発明によれば、埋め込み型器具の埋め込み設置状態をより安定させることができる。
【発明を実施するための最良の形態】
【００２６】
図１〜図７を参照して本発明の第１実施形態に係るダウンライトを説明する。
【００２７】
図２〜図４及び図６中符号１は被取付け部例えば建物の天井を示している。この天井１には器具埋め込み孔２が開けられている。器具埋め込み孔２は円形である。
【００２８】
次に、器具埋め込み孔２に挿入して天井１に埋め込み設置される埋め込み型器具例えばダウンライト１１について説明する。
【００２９】
ダウンライト１１は、器具本体１２と、例えば一対のばね支持手段２１と、一対のトーションばね３１とを具備している。
【００３０】
器具本体１２は、その周囲の大気中への放熱のためにアルミニウム合金等で形成されていて、本体ケース１３とフランジ１４を有している。本体ケース１３は、略円筒状をなし、その正面となる一端は開口され、背面となる他端は閉じられている。この本体ケース１３内には、図示しないが前記一端開口を通して投光する光源、この光源が着脱可能に取付けられるソケット、光源が発した光の配光を制御する反射鏡、及び光源の点灯装置等が収められている。図３及び図５等に示すように本体ケース１３の側壁は互いに平行な一対の壁部１３ａを有している。本体ケース１３の外径は器具埋め込み孔２より小さい。
【００３１】
フランジ１４は、本体ケース１３の前記一端から外側方に例えば一体に張り出していて、本体ケース１３の周方向に連続している。フランジ１４の直径（外径）は器具埋め込み孔２より大きい。
【００３２】
図３及び図５に示すように一対のばね支持手段２１は、器具本体１２の中心軸線（図示しない）と交差する幅方向から本体ケース１３を挟むように器具本体１２の外側面に配設されている。つまり、器具本体１２をその外側面から挟むように一対のばね支持手段２１が設けられている。具体的には、本体ケース１３の径方向両側に形成された前記壁部１３ａの外側面で、しかも、図１等に示すように器具本体１２の下部、つまり、器具本体１２の半分の高さ位置とフランジ１４との間に、より好ましくはフランジ１４に寄って配設されている。
【００３３】
これらのばね支持手段２１は、図１及び図７等に例示するように巻き部受け２２とばね端部受け２３とを備えている。
【００３４】
巻き部受け２２は、壁部１３ａに一体に突設された円筒状又は円柱状の軸からなる。本実施形態の場合、後述する一対のトーションばね３１の巻き部を共に支持するために、一対のばね支持手段２１の巻き部受け２２の中心軸線を結んだ直線（図示しない）が、器具本体１２の中心軸線と直交する位置に巻き部受け２２が設けられている。これらの巻き部受け２２はフランジ１４の裏面との間の距離Ｌ（図１参照）は天井１の厚みを越える大きさに設定されている。
【００３５】
ばね端部受け２３は、アルミニウム合金等の一体成型品であり、壁部１３ａの下部にねじ２４で固定されている。このばね端部受け２３は、図７で代表して示すように一対の固定片２３ａと、一対の耐力壁２３ｂと、カバー壁部２３ｃとを有している。
【００３６】
各固定片２３ａは巻き部受け２２の下方近傍に位置して壁部１３ａの外面にねじ止めされている。各耐力壁２３ｂは固定片２３ａに対して直角に折れ曲がって設けられているとともに、これら耐力壁２３ｂの相互間隔は巻き部受け２２の直径より大きい。これら固定片２３ａと耐力壁２３ｂの高さ寸法、言い換えれば、器具本体１２の中心軸線が延びる方向の長さは、同じである。カバー壁部２３ｃは一対の耐力壁２３ｂにわたって各固定片２３ａと平行に設けられている。このカバー壁部２３ｃの高さ寸法、言い換えれば、器具本体１２の中心軸線が延びる方向の長さは、巻き部受け２２の先端に接触又は近接してこの先端を覆うことができるように固定片２３ａ及び耐力壁２３ｂより長く設定されている。
【００３７】
一対のトーションばね３１は、例えば断面が円形の金属製ばね線材を曲げ加工して形成されている。これらトーションばね３１は、同じ大きさでかつ同一構造であり、一対の巻き部３２、一対のばね端部３３、一対のアーム部３４、及び一つの押え部３５を有して形成されている。
【００３８】
詳しくは、一対の巻き部３２は例えば複数回巻かれてコイル状に形成されている。ばね端部３３は各巻き部３２の一端から夫々延出されている。アーム部３４は各巻き部３２に他端から夫々延出されている。押え部３５はアーム部３４から折り曲げられていてこれら一対のアーム部３４の先端を一体につないでいる。
【００３９】
これらのトーションばね３１は、その両端の巻き部３２を一対の巻き部受け２２に嵌合するとともに、トーションばね３１のアーム部３４又は押え部３５をフランジ１４の裏面に接触させ、かつ、ばね端部３３をばね端部受け２３の耐力壁２３ｂに支持させて、器具本体１２に支持されている。この支持状態で、トーションばね３１の巻き部３２は巻き締められた状態にあるので、ばね端部３３は耐力壁２３の内面に接した状態を保持し、かつ、トーションばね３１の例えば押え部３５がフランジ１４から食み出ないようにこのフランジ１４の裏面に接した状態を保持している。
【００４０】
一対のトーションばね３１は、図３及び図５に示すように器具本体１２の中心軸線の周囲に１８０°対称となる配置に設けられている。これとともに、各トーションばね３１の一方の巻き部３２の夫々は、一方の巻き部受け２２にその軸方向に並べて嵌合されているが、この一方の巻き部３２に嵌合された各トーションばね３１の一方の巻き部３２の巻き方向は逆（図７参照）であり、同様に、各トーションばね３１の他方の巻き部３２の夫々は、他方の巻き部受け２２にその軸方向に並べて嵌合されているが、この他方の巻き部３２に嵌合された各トーションばね３１の他方の巻き部３２の巻き方向も逆である。
【００４１】
これらのトーションばね３１の器具本体１２への取付け手順は以下の通りである。
【００４２】
まず、器具本体１２の一方の壁部１３ａに突設された一方の巻き部受け２２に、一方（第１）のトーションばね３１が有した一方（第１）の巻き部３２を嵌合した後に、他方（第２）のトーションばね３１が有した一方（第１）の巻き部３２を嵌合する。次に、器具本体１２の他方の壁部１３ａに突設された他方の巻き部受け２２に、他方（第２）のトーションばね３１が有した他方（第２）の巻き部３２を嵌合した後に、一方（第１）のトーションばね３１が有した他方（第２）の巻き部３２を嵌合する。
【００４３】
この後、第１、第２のトーションばね３１の前記第１の巻き部３２から延出されたばね端部３３の夫々を、一方のばね端部受け２３の耐力壁２３ｂ相互間に収めて、この一方のばね端部受け２３を器具本体１２の一方の壁部１３ａの下部外側面にねじ止めする。同様に、第１、第２のトーションばね３１の第２の巻き部３２から延出されたばね端部３３の夫々を、他方のばね端部受け２３の耐力壁２３ｂ相互間に収めて、この他方のばね端部受け２３を器具本体１２の下部外側面にねじ止めする。
【００４４】
こうして取付けが完了することに伴い、各巻き部３２は巻き締められた状態となる。それにより、第１のトーションばね３１が有した一対のばね端部３３が、ばね端部受け２３の第１のトーションばね３１側に位置された耐力壁２３ｂの内面に弾性的に接触した状態に支持されるとともに、第１のトーションばね３１の押え部３５がフランジ１４の裏面に弾性的に接触した状態に保持される。同様に、第２のトーションばね３１が有した一対のばね端部３３が、ばね端部受け２３の第２のトーションばね３１側に位置された耐力壁２３ｂの内面に弾性的に接触した状態に支持されるとともに、第２のトーションばね３１の押え部３５がフランジ１４の裏面に弾性的に接触した状態に保持される。
【００４５】
以上の手順で器具本体１２に取付けられて両持ち支持された第１のトーションばね３１が有した一対のアーム部３４及び押え部３５は、ダウンライト１１の背面から正面側を見て図３等に示すように本体ケース１３の半周を囲むように配置され、同様に、器具本体１２に取付けられた第２のトーションばね３１が有した一対のアーム部３４及び押え部３５は、平面的にみて、言い換えれば、ダウンライト１１の背面側から正面方向に見て図３等に示すように本体ケース１３の残りの半周を囲むように配置される。又、ばね端部受け２３のカバー壁部２３ｃが巻き部受け２２の先端に当接乃至は近接して、この巻き部受け２２に嵌合された巻き部３２が巻き部受け２２から外れることを防止する。
【００４６】
一対のトーションばね３１のアーム部３４の夫々は、押え部側部位３４ａとこれに連続した巻き部側部位３４ｂとならなる。
【００４７】
アーム部３４の押え部３５寄りの部位からなる押え部側部位３４ａは斜めに折り曲げられている。この押え部側部位３４ａと押え部３５とは、器具本体１２を平面的に見て鈍角α（図３参照）を作って一体に連続されている。したがって、押え部３５と一対のアーム部３４とは、図３に示すように器具本体１２を平面的に見て、言い換えれば、器具本体の背面側から正面方向に見て略Ｕ字形状をなしている。
【００４８】
アーム部３４の巻き部３２寄りの部位からなる巻き部側部位３４ｂは、図１及び図７等に示すように器具本体１２を側方から見てフランジ１４の裏面から離れる方向に突出するようにＶ字状に曲げられている。この巻き部側部位３４ｂは互いに逆向きに傾斜した第１部分３４ｂ１と第２部分３４ｂ２とからなる。巻き部側部位３４ｂの曲げ角β（図１及び図２参照）の最適角度は１１０°であるが、この曲げ角βは１１０°±２０°の好適範囲内で任意に選択できる。
【００４９】
第１部分３４ｂ１は押え部側部位３４ａと第２部分３４ｂ２とにわたる部分である。この第１部分３４ｂ１は、図１等に示すように器具本体１２を側方から見て押え部側部位３４ａに真っ直ぐ連続するようにこの押え部側部位３４ａの延長線上に設けられている。第２部分３４ｂ２は、第１部分３４ｂ１と巻き部３２とにわたる部分、言い換えれば、Ｖ字状をなした巻き部側部位３４ｂの曲げの頂点から巻き部３２に至る根元側部分である。この第２部分３４ｂ２の長さは天井１の厚みより長い。なお、巻き部側部位３４ｂは滑らかな曲線となるように形成しても良い。
【００５０】
次に、天井１にダウンライト１１を埋め込み設置する手順を説明する。
【００５１】
まず、図１に示した状態から一対のトーションばね３１を、それらのアーム部３４及び押え部３５が、フランジ１４の裏面から最も遠ざかる方向に手で回転させ、例えば器具本体１２の本体ケース１３の外側面に押え部３５が当たるようにして、その状態を保持する。この場合、一対のトーションばね３１のアーム部３４が巻き部受け２２を中心に上向きに回転される一方で、この回転に伴ってばね端部３３が動くことは耐力壁２３ｂで妨げられている。そのため、巻き部３２の巻きが更に強められながらアーム部３４が回転されて、アーム部３４及び押え部３５が器具本体１２の外側面に沿うように配置される。
【００５２】
こうして一対のトーションばね３１が配置された状態を図４の側面図で示す。この状態では、一対のトーションばね３１の第２部分３４ｂ２が上下方向に延びるように配置されて互いに接近するので、これら第２部分３４ｂ２を指で掴むことにより、一対のトーションばね３１を上向きに回転させた状態を保持できる。
【００５３】
更に、この配置状態を平面から見た状態を図５に示す。この図５から明らかなようにアーム部３４が斜めの押え部側部位３４ａを有しているので、この押え部側部位３４ａは本体ケース１３の外側面に沿うように配置される。こうしたトーションばね３１の配置によれば、平面的に見て、ダウンライト１１を円形の器具埋め込み孔２に挿入する際に、一対のトーションばね３１が器具埋め込み孔２に引っ掛かり難くできる。
【００５４】
なお、図５中一点鎖線は、押え部側部位と押え部３５とが直角に折れ曲がっている場合を比較のために示した。この比較例では、図５中に二点鎖線で示した器具埋め込み孔２に対してトーションばね３１が平面的に見て干渉する。そのため、器具埋め込み孔２を大きくしなければダウンライト１１を埋め込み設置することができないとともに、フランジ１４の径を大きくしなければならない。
【００５５】
次に、図４に示す状態を保持したまま、器具本体１２の本体ケース１３を器具埋め込み孔２に挿入する。この場合、既述のようにトーションばね３１が器具埋め込み孔２の縁に引っ掛かり難いので、器具埋め込み孔２への挿入を円滑に行え、作業性を向上可能である。そして、一対のトーションばね３１の第２部分３４ｂ２の略全体が器具埋め込み孔２に入り込む深さに達した時点で、これらトーションばね３１から指を外す。
【００５６】
それに伴い、巻き部３２に蓄勢されたばね力で一対のトーションばね３１のアーム部３４が下方に向けて開くように回転し、それにより、各トーションばね３１の押え部３５が器具埋め込み孔２の周部において天井１の裏面に弾性的に当接する。そのため、一対のトーションばね３１のばね力で器具本体１２全体が上向きに移動されて、そのフランジ１４が天井１の表面に接するとともに、このフランジ１４と押え部３５とが器具埋め込み孔２の周部を挟むようになる。
【００５７】
したがって、天井１にダウンライト１１が埋め込み設置される。この設置状態を図２及び図３に示す。このように器具本体１２のフランジ１４と一対のトーションばね３１の押え部３５とで、天井１をその厚み方向に挟むようにしてダウンライト１１が取付けられるので、埋め込み設置されたダウンライト１１の天井１に対する保持力が、器具埋め込み孔２の大きさのばらつきに左右されることがなくなり、ダウンライト１１の埋め込み設置状態を安定させることができる。
【００５８】
この場合、一対のトーションばね３１は器具本体１２の外側面に両持ち支持されているので、押え部３５による天井１の裏面の押えが安定する。これとともに、一対の押え部３５が天井１の裏面を押える位置（力の作用点）は、器具本体１２の本体ケース１３を間に置いて１８０°離れており、本体ケース１３を間に置いた一対の巻き部受け２２は、前記作用点に対して９０°ずれた位置でトーションばね３１の反力を受ける。したがって、ダウンライト１１の埋め込み設置状態をより安定させることができる。
【００５９】
更に、器具本体１２を側方から見てフランジ１４側に寄せて巻き部受け２２が設けられているので、巻き部受け２２を器具本体１２の背面部（図１では上面部）に寄せて設けた場合と比較して、巻き部３２と押え部３５とにわたるアーム部３４の長さを短くできる。このため、アーム部３４の撓みを原因とする押え部３５による天井１の裏面への押え力の低下が抑制される。したがって、この点でダウンライト１１の埋め込み設置状態をより安定させることができる。
【００６０】
又、器具本体１２の内蔵物のメンテナンスをするために、ダウンライト１１をこれが埋め込み設置された天井１から取外すには、まず、図２の状態からフランジ１４を手掛りにして器具本体１２をある程度下方に引出す。
【００６１】
この場合、アーム部３４の巻き部側部位３４ｂの曲げの頂点から巻き部３２に至る第２部分３４ｂ２の長さが天井１の厚みより長いので、器具本体１２の引出しに伴って一対のトーションばね３１がその押え部３５を支点に回転して、アーム部３４が天井１の裏面に沿うようになった時点で、図６に示すように第２部分３４ｂ２が器具埋め込み孔２を通って天井１の下方に突出される。
【００６２】
引き続いて、こうした引き出し状態で一対のトーションばね３１のアーム部３４を互いに近づけるように掴むことで、これらアーム部３４の押え部３５が器具本体１２の外側面に沿うようにする。最後に、この状態のままで器具本体１２を器具埋め込み孔２から引出すことによって、ダウンライト１１を天井から外すことができる。
【００６３】
一対のトーションばね３１は器具本体１２の外側面にばね支持手段２１により両持ち支持されているので、以上の引出し操作において、押え部３５が器具本体１２の外側面に沿うようにアーム部３４を操作する場合、片側のばね支持手段２１から延出した一対のトーションばね３１のアーム部３４の第２部分３４ｂ２を互いに近付くように指で掴むことができる。このため、器具本体１２とアーム部３４とにわたって片手をかけて操作することを余儀なくされないので、操作性を向上できる。
【００６４】
更に、ばね支持手段２１の巻き部受け２２は、天井１の厚みを越える距離をフランジ１４の裏面から隔てて配置されている。このため、巻き部受け２２が天井１の裏面と同じ高さ位置を越えて天井１の表側に位置されるように器具本体１２が引出されるまでは、アーム部３４は器具埋め込み孔２の縁に接しない。これにより、器具本体１２を引出す初期段階からアーム部３４によって器具埋め込み孔２の縁が擦られて器具埋め込み孔２が損傷することを抑制できる。
【００６５】
それだけではなく、器具本体１２を側方から見て、アーム部３４の巻き部側部位３４ｂを曲げ角βでＶ字状に曲げたので、この巻き部側部位３４ｂの曲げの頂点から押え部３５に至るアーム部３４の部分、つまり、第１部分３４ｂ１とこれに連続した押し部側部位３４ａとがなす部分と、フランジ１４とが作る角度γ（図２参照）を大きくできる。
【００６６】
このため、アーム部３４の第２部分３４ｂ２が図６に示すように天井１の表側から手で掴める程度にまで器具本体１２が引出されるまでは、アーム部３４は器具埋め込み孔２の縁に接しない。これにより、器具本体１２を引出す際にアーム部３４によって器具埋め込み孔２の縁が擦られて器具埋め込み孔２が損傷することを抑制できる。この後、一対のトーションばね３１は、既述のように手で掴まれて図４に示す状態を維持して器具本体１２とともに引出される。したがって、ダウンライト１１が取外される際に、トーションばね３１によって器具埋め込み孔２の縁が擦られて、この縁が傷付くことを抑制できる。
【００６７】
図８及び図９は器具本体１２が軽量である場合に適した本発明の第２実施形態を示している。この第２実施形態は以下説明する事項以外は第１実施形態と同じであるので、第１実施形態と同一の機能を奏する構成については第１実施形態と同じ符号を付してその説明を省略する。
【００６８】
第２実施形態では、一つトーションばね３１が一つのアーム部３４を有している。そのため、各トーションばね３１は、器具本体１２の外側面に両持ち支持ではなく、片持ち支持されている。こうした片持ち支持を実現するために、巻き部受け２２は根元側の大径部と先端側の小径部とで形成されていて、その小径部に巻き部３２を嵌合して器具本体１２の外側面に支持されている。以上説明した事項以外は第１実施形態と同じである。
【００６９】
したがって、この第２実施形態でも第１実施形態で既に説明した理由によって本発明の課題を解決することができる。
【００７０】
なお、本発明は前記各実施形態には制約されない。例えば、巻き部受け２２は器具本体の本体ケース１３に突設することに代えて、この本体ケース１３に固定されるばね端部受け２３のカバー壁部２３ｃ内面に突設して実施することができる。又、本発明は、ダウンライトに実施を制約されるものではなく、天井又はこれに斜め若しくは直角に連続する壁部材、及びその他の被取付け部に埋め込み設置される照明器具や電気器具等の埋め込み型器具に適用することができる。
【図面の簡単な説明】
【００７１】
【図１】本発明の第１実施形態に係るダウンライトを示す側面図。
【図２】図１のダウンライトが天井に埋め込み設置された状態を示す図。
【図３】図１のダウンライトが天井に埋め込み設置された状態を示す平面図。
【図４】図１のダウンライトを天井に着脱する際の状態を示す図。
【図５】図４の状態のダウンライトを示す平面図。
【図６】図１のダウンライトを天井から引出し途上の状態で示す図。
【図７】図１のダウンライトの一部を分解して示す斜視図。
【図８】本発明の第２実施形態に係るダウンライトが天井に埋め込み設置された状態を示す図。
【図９】図８のダウンライトが天井に埋め込み設置された状態を示す平面図。
【符号の説明】
【００７２】
１１…ダウンライト（埋め込み型器具）、１２…器具本体、１４…器具本体のフランジ、２１…ばね支持手段、２２…巻き部受け、２３…ばね端部受け、３１…トーションばね、３２…巻き部、３３…ばね端部、３４…アーム部、３４ａ…アーム部の押え部側部位、３４ｂ…アーム部の巻き部側部位、３４ｂ２…巻き部側部位の第２部分（根元側部分）、３５…押え部、α…鈍角、β…曲げ角、
【図１】
2009104958.tif 000003
【図２】
2009104958.tif 000004
【図３】
2009104958.tif 000005
【図４】
2009104958.tif 000006
【図５】
2009104958.tif 000007
【図６】
2009104958.tif 000008
【図７】
2009104958.tif 000009
【図８】
2009104958.tif 000010
【図９】
2009104958.tif 000011